(57)【要約】【課題】架空配電線の絶縁被覆に対する剥ぎ刃の食い込み不足を解消可能な電線中間皮剥ぎ器を提供する。【解決手段】剥ぎ刃１６の絶縁被覆１３への食い込み力を高める食い込み力補助手段を電線中間皮剥ぎ器１０に設けた。これにより、使用時、把持機構１７により架空配電線１５を両開閉アーム１１，１２により挟み込むと同時に、絶縁被覆１３に対して剥ぎ刃１６を食い込ませる。その後、食い込み力補助手段により、絶縁被覆１３への剥ぎ刃１６の食い込み力を増大させる。これにより、絶縁被覆１３への剥ぎ刃１６の食い込み不足を解消することができる。【選択図】図１
2008131844.tif 000002
【特許請求の範囲】
【請求項１】
一方の開閉アームと他方の開閉アームとのうち、少なくとも何れか一方を移動させて両開閉アームにより前記架空配電線を挟み込み、前記両開閉アームの何れかに設けられた剥ぎ刃を架空配電線の絶縁被覆に食い込ませる把持機構と、
前記絶縁被覆への剥ぎ刃の食い込み力を増大させる食い込み力補助手段と、
前記把持機構により前記架空配電線を挟み込んだ両開閉アームを、前記架空配電線の周りに回転させる回転機構とを備えた電線中間皮剥ぎ器。
【請求項２】
前記把持機構は、前記移動させられる開閉アームの回動中心となる回動軸を有した請求項１に記載の電線中間皮剥ぎ器。
【請求項３】
前記食い込み力補助手段は、前記両開閉アームにねじ部が横架されたアーム締め付けボルトを有している請求項１または請求項２に記載の電線中間皮剥ぎ器。
【請求項４】
前記移動させられる開閉アームは、前記一方の開閉アームのみで、
前記食い込み力補助手段は、前記他方の開閉アームの回転を阻止可能なブレーキ構造体を有している請求項２に記載の電線中間皮剥ぎ器。
【発明の詳細な説明】
【技術分野】
【０００１】
この発明は電線中間皮剥ぎ器、詳しくは活線状態の架空配電線において、架空配電線の中間部の絶縁被覆を剥ぎ取る電線中間皮剥ぎ器に関する。
【背景技術】
【０００２】
架空配電線の無停電工事として、元側にハンドルを有した絶縁操作棒またはマニュピュレータの先端部に剥ぎ刃付きの電線中間皮剥ぎ器を装着し、その後、作業者が絶縁操作棒などを握り、電線中間皮剥ぎ器を活線状態の架空配電線（以下、電線）の中間部に引っ掛け、ハンドルを回転操作して、前記剥ぎ刃を電線の周方向へ回転させながら電線の軸線方向へ移動させることで、電線の絶縁被覆を螺旋状に剥ぎ取る工法が知られている。
【０００３】
従来、この工法で使用される電線中間皮剥ぎ器として、例えば、前記ハンドルを操作して鋏構造の１対の開閉アームにより電線を挟み込み、この時、一方の開閉アームに固定された剥ぎ刃を絶縁被覆に食い込ませ、その状態のままで、電線を中心とした周方向へ剥ぎ刃を回転させ、絶縁被覆を剥ぐものが知られている（例えば特許文献１）。
【特許文献１】特開平１１−９８６３９号公報
【発明の開示】
【発明が解決しようとする課題】
【０００４】
ところで、特許文献１にあっては、このように剥ぎ刃を電線の絶縁被覆に食い込ませる力は、ハンドルの回転操作力を動力源とした開閉アームの把持力のみに頼っていた。その結果、刃幅が大きい剥ぎ刃を適用しようとすると、絶縁被覆への食い込み量（深さ）が不足し、１回の皮剥ぎ作業では絶縁被覆を完全に除去することができないことがあった。その際には、続いて残部の絶縁被覆を処理する必要があり、絶縁被覆の皮剥ぎの作業効率が低下していた。
【０００５】
そこで、発明者は鋭意研究の結果、両開閉アームにより架空配電線を挟み込むことで剥ぎ刃を絶縁被覆に食い込ませる把持機構とは別に、絶縁被覆に対する剥ぎ刃の食い込み力を高める食い込み力補助手段を電線中間皮剥ぎ器に設ければ、絶縁被覆への剥ぎ刃の食い込み不足を解消可能であることを知見し、この発明を完成させた。
【０００６】
この発明は、架空配電線の絶縁被覆に対する剥ぎ刃の食い込み不足を解消することができる電線中間皮剥ぎ器を提供することを目的としている。
また、この発明は、構造が簡単でかつ安定的に絶縁被覆への剥ぎ刃の食い込み力を増大させることができる電線中間皮剥ぎ器を提供することを目的としている。
さらに、この発明は、従来通りの皮剥ぎ操作を行うだけで、電線への剥ぎ刃の食い込み力を自動的に増大させることができる電線中間皮剥ぎ器を提供することを目的としている。
【課題を解決するための手段】
【０００７】
請求項１に記載の発明は、一方の開閉アームと他方の開閉アームとのうち、少なくとも何れか一方を移動させて両開閉アームにより前記架空配電線を挟み込み、前記両開閉アームの何れかに設けられた剥ぎ刃を架空配電線の絶縁被覆に食い込ませる把持機構と、前記絶縁被覆への剥ぎ刃の食い込み力を増大させる食い込み力補助手段と、前記把持機構により前記架空配電線を挟み込んだ両開閉アームを、前記架空配電線の周りに回転させる回転機構とを備えた電線中間皮剥ぎ器である。
【０００８】
請求項１に記載の発明によれば、把持機構を用いて架空配電線を両開閉アームにより挟み込むと同時に、絶縁被覆に対して剥ぎ刃が食い込む。その後、食い込み力補助手段により、絶縁被覆への剥ぎ刃の食い込み力を増大させる。これにより、例えば刃幅が大きい剥ぎ刃を採用した場合などに生じる絶縁被覆に対する剥ぎ刃の食い込み不足が解消される。
【０００９】
電線中間皮剥器とは、活線状態の架空配電線のうち、軸線方向の両端部を除く部分の絶縁被覆を剥ぎ刃により剥ぎ取る器具である。
架空配電線の種別は任意である。例えば、水密電線、磨耗検知層付電線などを採用することができる。
絶縁被覆の素材としては、ポリエチレン、架橋ポリエチレンなどを採用することができる。
絶縁被覆の厚さは任意である。例えば、２．０〜３．０ｍｍ程度である。
開閉アームの移動は、直線移動でもよいし、曲線移動でもよい。
移動させられるのは一方の開閉アームだけでもよいし、他方の開閉アームだけでもよい。または、両方の開閉アームでもよい。剥ぎ刃が設けられるのは、一方の開閉アームでもよいし、他方の開閉アームでもよい。また、両方の開閉アームに設けてもよい。
【００１０】
両開閉アームのうち、架空配電線の挟み込み部分の形状は、挟持可能な架空配電線の太さ（直径）の自由度が大きくなるため、円弧形状とした方が好ましい。
剥ぎ刃は、刃幅方向が架空配電線の軸線方向と平行なものでもよいし、傾斜したものでもよい。また、剥ぎ刃の幅は絶縁被覆の剥ぎ取り幅と略同じ（例えば６０ｍｍ）でもよいし、それより短くてもよい。電線中間皮剥ぎ器により剥ぎ取られるのは、架空配電線のうち、両端部を除いた部分（中間部）の絶縁被覆である。剥ぎ刃および架空配電線は、相対的に移動してもよいし、そうでなくてもよい。
【００１１】
回転機構の構造は任意である。把持機構により架空配電線を挟み込んだ両開閉アームを、架空配電線の周りに回転させることができればよい。
食い込み力補助手段の構造は、絶縁被覆への剥ぎ刃の食い込み力を増大可能であれば任意である。例えば、両開閉アームをアーム締め付けボルトのねじ込み力により閉じるねじ込み構造を有したものでもよい。また、絶縁被覆に対する剥ぎ刃の食い込み力が所定の大きさに達するまで、回転機構による両開閉アームの回転を阻止するボルトと、これに螺合されるナットとからなるボルトナット構造体でもよい。その他、ディスクブレーキ（パッド挟み込み）、電磁ブレーキ、ばねなどを採用することができる。
【００１２】
請求項２に記載の発明は、前記把持機構は、前記移動させられる開閉アームの回動中心となる回動軸を有した請求項１に記載の電線中間皮剥ぎ器である。
【００１３】
請求項２に記載の発明によれば、移動させられる開閉アームを回動軸を中心にして回動させることで、例えば鋏のように両開閉アームの開閉を行う。
両開閉アームは、長さ方向の中間部を回動軸により軸支したものでもよいし、長さ方向の一端部（元部）を回動軸により軸支したものでもよい。
【００１４】
請求項３に記載の発明は、前記食い込み力補助手段は、前記両開閉アームにねじ部が横架されたアーム締め付けボルトを有している請求項１または請求項２に記載の電線中間皮剥ぎ器である。
【００１５】
請求項３に記載の発明によれば、アーム締め付けボルトのねじ込み力により両開閉アームを閉じることで、絶縁被覆への剥ぎ刃の食い込み力が増す。これにより、構造が簡単でかつ安定的に絶縁被覆への剥ぎ刃の食い込み力の増大を図ることができる。
【００１６】
アーム締め付けボルトとは、ボルトの締め付け力により両開閉アームのうち、少なくとも架空配電線の挟み込み部分（把持部分）を接近可能なボルトをいう。アーム締め付けボルトにより近接されるのは、両開閉アームまたは何れか一方の開閉アームでもよい。
【００１７】
請求項４に記載の発明は、前記移動させられる開閉アームは、前記一方の開閉アームのみで、前記食い込み力補助手段は、前記他方の開閉アームの回転を阻止可能なブレーキ構造体を有している請求項２に記載の電線中間皮剥ぎ器である。
【００１８】
請求項４に記載の発明によれば、例えば絶縁操作棒などのハンドル操作を行うことで把持機構を作動させ、一方の開閉アームを回動させて両開閉アームにより架空配電線を挟持すると同時に、絶縁被覆に剥ぎ刃を食い込ませる。その後、回転機構により両開閉アームとともに剥ぎ刃を架空配電線の周りに回転させ、絶縁被覆を剥ぎ取る。
このとき、剥ぎ刃の食い込み力が所定の大きさに達するまで、ブレーキ構造体が他方の開閉アームの回転を阻止する。その結果、従来通りの皮剥ぎ操作を行うだけで、架空配電線への剥ぎ刃の食い込み力を自動的に増大させることができる。
所定の食い込み力に到達後は、ブレーキ構造体による他方の開閉アームの回転の阻止状態が解除され、両開閉アームが回転して剥ぎ刃による絶縁被覆の皮剥ぎが行われる。
【００１９】
ブレーキ構造体とは、絶縁被覆に対する剥ぎ刃の食い込み力が所定の大きさに達するまで、回転機構による両開閉アームの回転を阻止可能なものであれば任意である。例えば、ボールプランジャなどを採用することができる。その他、ディスクプレーキ、電磁ブレーキ、ばねなどでもよい。
ブレーキ構造体の設置位置は任意である。例えば、電線中間皮剥ぎ器の本体となり、かつ両開閉アームが回転自在に取り付けられる本体プレートと、他方の開閉アームとの間でもよい。また、回転プレートを介して、他方の開閉アームが本体プレートに取り付けられている場合には、本体プレートと回転プレートとの間にブレーキ構造体を設けてもよい。
【発明の効果】
【００２０】
この発明の請求項１に記載の発明によれば、食い込み力補助手段を電線中間皮剥ぎ器に備えたので、把持機構により剥ぎ刃を絶縁被覆に食い込ませた後、その食い込み力を食い込み力補助手段により増大させることができる。その結果、例えば刃幅が大きい剥ぎ刃を適用した場合などに生じる架空配電線の絶縁被覆に対する剥ぎ刃の食い込み不足を解消することができる。
【００２１】
特に、請求項３に記載の発明によれば、食い込み力補助手段として、両開閉アームにねじ部が横架されたアーム締め付けボルトを有したものを採用したので、構造が簡単でかつ安定的に絶縁被覆への剥ぎ刃の食い込み力の増大を図ることができる。
【００２２】
また、請求項４に記載の発明によれば、食い込み力補助手段として、架空配電線の絶縁被覆に対する剥ぎ刃の食い込み力が所定の大きさに達するまで、他方の開閉アームの回転を阻止するブレーキ構造体を採用したので、従来通りの皮剥ぎ操作を行うだけで、架空配電線への剥ぎ刃の食い込み力を自動的に増大させることができる。
【発明を実施するための最良の形態】
【００２３】
以下、この発明の実施例を具体的に説明する。まず、図１〜図６を参照して、この発明の実施例１に係る電線中間皮剥ぎ器について述べる。
【実施例１】
【００２４】
図１において、１０はこの発明の実施例１に係る電線中間皮剥ぎ器で、この電線中間皮剥ぎ器１０は、架空配電線１５の絶縁被覆１３を剥ぐ剥ぎ刃１６を有した第１の開閉アーム（一方の開閉アーム）１１と、第２の開閉アーム（他方の開閉アーム）１２とのうち、第１の開閉アーム１１を回動軸１８を中心にして回動させ、両開閉アーム１１，１２により架空配電線１５を挟み込んで、剥ぎ刃１６を絶縁被覆１３に食い込ませる把持機構１７と、把持機構１７により架空配電線１５を挟み込んだ両開閉アーム１１，１２を、架空配電線１５の周りに回転させる回転機構２１とを備えている。
【００２５】
以下、これらの構成部品を詳細に説明する。
図１〜図６に示すように、電線中間皮剥ぎ器１０は、略下向きＣ字形状の本体プレート２２を有している。本体プレート２２の中央部には、曲率が一定した円弧形状のＣ字切欠部２３が形成されている。Ｃ字切欠部２３には、Ｃ字切欠部２３の内縁部をガイドにして回転自在で、かつＣ字切欠部２３と略同じ円弧の長さを有する厚肉な外筒体２４が内挿されている。外筒体２４の軸線方向の長さは、本体プレート２２の厚さより長い。外筒体２４の外周側のうち、外筒体２４の軸線方向の長さの略中間部分には、外筒体２４の周方向の全長にわたって、前記Ｃ字切欠部２３の内縁部が内挿される１条のガイド溝２２ａが形成されている。これにより、外筒体２４はＣ字切欠部２３の内縁部をガイドにして、その軸線を中心として回転自在に構成されている。
【００２６】
外筒体２４の外周側のうち、本体プレート２２の裏面から突出した部分には、外筒体２４の周方向の全長にわたって外ギヤ２５が周設されている。本体プレート２２の元部の裏側には、互いに離間してかつ外ギヤ２５に噛合する１対の従動側の小ギヤ２６が配設されている。また、本体プレート２２の元部の裏側には、両従動側の小ギヤ２６に跨がって噛合される駆動側の小ギヤ２７が設けられている。駆動側の小ギヤ２７の回転軸２７ａは、本体プレート２２を貫通して本体プレート２２の表側から外方へ突出している。この突出部分に傘歯車２８が固着されている。
【００２７】
本体プレート２２の元部の表側には、円筒ソケット３０が片持ちされている。円筒ソケット３０の内部空間には、短尺な六角柱の操作入力軸３１が、その元部付近を円筒ソケット３０の元部に軸支した状態で収納されている。操作入力軸３１には、元部にハンドルを有した図示しない第１の絶縁操作棒の先端部の連結ソケットが着脱自在に連結される。連結ソケットは、操作入力軸３１の六角柱形状に合わせた六角筒体である。ハンドルを回転操作することで、連結ソケットを介して操作入力軸３１を回転させる。操作入力軸３１の元部は、円筒ソケット３０から外方へ突出している。この突出部分に、前記傘歯車２８に噛合される別の傘歯車２９が固着されている。
【００２８】
外筒体２４の表側の部分は、前記本体プレート２２の表面から外方へ突出している。この突出部分の外周面には、近接配置された前記傘歯車２８との接触を回避するため、外筒体２４の周方向の全長にわたって１条の溝２４ａが形成されている。外筒体２４の表側の端面には、その一側部（Ｃ字の略半分）の領域に、厚肉で円弧形状を有した第１の円弧ブロック３２が固定されている。第１の円弧ブロック３２の表側の外方には、回動軸１８を介して、第２の開閉アーム１２に回動自在に連結された厚肉な第１の開閉アーム１１が配置されている。すなわち、第１の開閉アーム１１と第１の円弧ブロック３２とは、非接触状態にある。
【００２９】
第１の開閉アーム１１の先部のうち、長さ方向の中間部付近には、正面視して円弧形状の電線挟み込み部３８が設けられている。
第１の開閉アーム１１の長さ方向の中間部から元部にかけては、第１の開閉アーム１１の両側面を貫通した略矩形状の駒摺動用長孔３４ｂが形成されている。また、第１の開閉アーム１１の元部には、その表側部と裏側部との対向部分に、長さ方向を第１の開閉アーム１１の長さ方向へ向けた長孔３４ｃがそれぞれ形成されている。
【００３０】
駒摺動用長孔３４ｂには、短尺な円柱駒３６が、駒摺動用長孔３４ｂの長さ方向へ摺動自在に収納されている。円柱駒３６には、その外周面の両端部を貫通してねじ孔３６ａが形成されている。また、円柱駒３６の両端面の中心部には、対応する長孔３４ｃに挿入された短尺ピン４０がそれぞれ突設されている。円柱駒３６は、両短尺ピン４０が長孔３４ｃの形成部をガイドにして、駒摺動用長孔３４ｂの長さ方向へ摺動する。また、第１の開閉アーム１１の元部の表側のうち、長孔３４ｃの形成部の回動軸１８側には、ばね掛止ピン４３が螺着されている。ばね掛止ピン４３には、両開閉アーム１１，１２を常開させる細長い常開コイルばね４２の一端部が掛止される。
【００３１】
第１の開閉アーム１１の先部には、その両側面を貫通し、かつ電線挟み込み部３８に向かって徐々に開口面積が大きくなる矩形状の開口部３５ｂが形成されている。開口部３５ｂのうち、第１の開閉アーム１１の先側の辺部には、前記剥ぎ刃１６がねじ止めされている。
剥ぎ刃１６は、その幅方向が架空配電線１５の軸線方向と平行に配置されている。剥ぎ刃１６の刃先が、開口部の電線挟み込み部側の面から突出する長さは３．２５ｍｍである。剥ぎ刃１６の幅は、架空配電線１５から分岐される引き下げ線の接続が可能な６０ｍｍである。すなわち、剥ぎ刃１６を絶縁被覆１３に突き刺し、この状態のまま剥ぎ刃１６を絶縁被覆１３の周りで１回転させれば、絶縁被覆１３の皮剥ぎは完了する。
【００３２】
外筒体２４の表側の外縁部には、第１の円弧ブロック３２の外周縁より外方に突出し、略Ｃ字形状のフランジであるカム（原動節）４５が一体形成されている。カム４５のうち、第１の円弧ブロック３２との対向部分から若干離れた領域には、この対向部分の長さの略半分の長さを有したカム凹部４５ａが形成されている。外筒体２４の内側には、外筒体２４の内周面に沿って回転可能で、かつ外筒体２４と略同じ大きさ（円弧の長さが略同じ）のＣ字形状を有した内筒体４７が内挿されている。
内筒体４７は外筒体２４に比べて薄肉である。外筒体２４の裏側の端には、内筒体４７が外筒体２４の裏側から抜け落ちないように、外筒体２４と略同じ大きさのＣ字ストッパ４８が固定されている。また、内筒体４７の表側の端面には、外筒体２４における第１の円弧ブロック３２の設置部分とは反対側となる他側部（Ｃ字の略半分）の領域に、厚肉で略円弧形状を有した第２の円弧ブロック３３が固定されている。
【００３３】
第２の円弧ブロック３３の長さ方向の一端部の表側には、第１の円弧ブロック３２との接触時の衝撃を減衰させる衝撃減衰部４９が取り付けられている。ただし、衝撃減衰部４９は必ずしも設けなくてもよい。衝撃減衰部４９は、第１の円弧ブロック３２との接触側の面が開口した略コの字形状のケーシング５０を本体とする。ケーシング５０は、その元側の一隅部が、第２の円弧ブロック３３から外方に突出状態となっている。
ケーシング５０には、衝撃減衰ブロック５１が出し入れ自在に収納されている。衝撃減衰ブロック５１は、第１の円弧ブロック３２と接触する先端部が面取り（円弧形状に加工）されている。また、衝撃減衰ブロック５１の元部にはピン５１ａが突設されている。ピン５１ａの先部は、ケーシング５０の元部に形成されたピン孔を通して外部へ突出している。この突出部分に、緩衝ばねを内蔵した摘まみ５２が取り付けられている。
【００３４】
第２の円弧ブロック３３の一端部付近の表側には、前記常開コイルばね４２の他端部が掛止される別のばね掛止ピン４４が螺着されている。常開コイルばね４２が、１対のばね掛止ピン４３，４４に掛止されることで、常開コイルばね４２のばね力により、第１の開閉アーム１１の元部が回動軸１８を中心にして別のばね掛止ピン４４側へ付勢状態で引っ張られる。
第２の円弧ブロック３３の一端部付近には、前記第２の開閉アーム１２の先部が固定されている。第２の開閉アーム１２の先部は、第１の開閉アーム１１の先部と略同じ厚さを有している。しかしながら、第２の開閉アーム１２の長さ方向の中間部から元部にかけては、前記駒摺動用長孔３４ｂに挿通可能な大きさまで細く形成されている。
【００３５】
第１の開閉アーム１１の長さ方向の中間部と、第２の開閉アーム１２の長さ方向の中間部とは、本体プレート２２の厚さ方向へ軸線方向を向けた前記回動軸１８により、回動自在に連結されている。第２の開閉アーム１２の元部には、両側面を貫通して貫通孔３５ａが形成されている。貫通孔３５ａには、１本の細長い操作ボルト（アーム締め付けボルト）３７が挿通されている。このとき、貫通孔３５ａと操作ボルト３７との間には、操作ボルト３７の周側面の全域にわたって若干の隙間が現出するように構成されている。
【００３６】
また、操作ボルト３７の先部は、前記円柱駒３６のねじ孔３６ａに螺合されている。操作ボルト３７の頭部には、操作リング３７ａが取り付けられている。操作リング３７ａには、元部にハンドルを有した図示しない第２の絶縁操作棒の先端部のフックが掛止される。フックを操作リング３７ａに掛止後、ハンドルを回すことで操作ボルト３７が回転し、第１の開閉アーム１１の元部と、第２の開閉アーム１２の元部とが互いに近接または離反する。これに伴い、第１の開閉アーム１１および第２の開閉アーム１２が開閉する。なお、両開閉アーム１１，１２による架空配電線１５の挟み込み力は、両開閉アーム１１，１２における操作ボルト３７の取り付け位置と回動軸１８との間の距離を変更することで調整することができる。
【００３７】
第２の開閉アーム１２の先部のうち、長さ方向の中間部付近には、前記第１の開閉アーム１１の電線挟み込み部３８と線対称となる別の電線挟み込み部３８が設けられている。このように、両電線挟み込み部３８を、各対応する開閉アーム１１，１２の軸支部付近に設けるようにしたので、架空配電線１５の絶縁被覆１３に対して、剥ぎ刃１６をより大きな力で食い込ませることができる。
第２の円弧ブロック３３の他端部には、その外周側に開口形状が矩形の凹部３３ａが１つ形成されている。凹部３３ａには、内筒体４７の回転をストップさせる掛止フック５３の爪部５３ａが掛止される。掛止フック５３は、前記本体プレート２２の先部の表側に、回動ピン５４を介して、回動自在に設けられている。回動ピン５４と掛止フック５３との間には、常時、爪部５３ａを第２の円弧ブロック３３の方向へ付勢させる短尺なコイルばね５５が介在されている。
【００３８】
掛止フック５３の長さ方向の中間部には、矩形状の貫通孔５３ｂが形成されている。貫通孔５３ｂには、前記コイルばね５５のばね力により、常時、前記カム４５の外周縁に押し付けられるカムフォロア４６が軸支されている。掛止フック５３の元側の端には、コイルばね５５による掛止フック５３の回動を規制するストッパピン５３ｃが突設されている。
本体プレート２２の回動ピン５４の近傍には、ストッパピン５３ｃの当接により、掛止フック５３の回動を規制するばね止めピン５６が突設されている。前記コイルばね５５の一端部はばね止めピン５６に掛止される。一方、コイルばね５５の他端部は、掛止フック５３の長さ方向の略中間部に掛止される。
前記把持機構１７は、回動軸１８、外筒体２４、円柱駒３６、操作ボルト３７および内筒体４７を備えている。このうち、円柱駒３６および操作ボルト３７は、絶縁被覆１３への剥ぎ刃１６の食い込み力を増大させるねじ込み式の食い込み力補助手段を兼ねている。また、前記回転機構２１は、操作入力軸３１、傘歯車２８、別の傘歯車２９、駆動側の小ギヤ２７、１対の従動側の小ギヤ２６および外ギヤ２５を有している。
【００３９】
次に、この発明の実施例１に係る電線中間皮剥ぎ器１０を用いた架空配電線１５の絶縁被覆１３の皮剥ぎ作業を説明する。
図１〜図６に示すように、予め作業者が操作ボルト３７を回転させ、第１の開閉アーム１１と第２の開閉アーム１２とを開状態で保持する。そして、Ｃ字切欠部２３の内縁部をガイドにして外筒体２４を所定角度だけ正方向（アーム閉方向）へ回動させ、短尺なコイルばね５５のばね力により、掛止フック５３の爪部５３ａを第２の円弧ブロック３３の凹部３３ａに掛止させておく。これにより、内筒体４７の回転は規制されるとともに、本体プレート２２のＣ字切欠部２３の開口部と、外筒体２４の開口部と、内筒体４７の開口部とが全て合致し、電線中間皮剥ぎ器１０を架空配電線１５の中間部に装着（掛止）可能な状態となる。このとき、カムフォロア４６は、カム凹部４５ａに配置される。
【００４０】
次いで、作業者は、第１の絶縁操作棒の連結ソケットを操作入力軸３１に連結し、第１の絶縁操作棒の先端部に電線中間皮剥ぎ器１０を装着する。その後、作業者は第１の絶縁操作棒を握って電線中間皮剥ぎ器１０を持ち上げ（掲げ）、電線中間皮剥ぎ器１０を活線状態の架空配電線１５の中間部に引っ掛ける。
この状態で、第２の絶縁操作棒のフックを操作リング３７ａに掛止し、第２の絶縁操作棒のハンドルをアーム閉方向へ手回しする。これにより、操作ボルト３７が回転し、両開閉アーム１１，１２の元部同士が近接して両開閉アーム１１，１２が閉じる。この時、剥ぎ刃１６が絶縁被覆１３に食い込む。なお、操作ボルト３７は第２の開閉アーム１２に螺着されておらず、単に貫通孔３５ａに挿通されているだけである。そのため、操作ボルト３７が両開閉アーム１１，１２の閉動作を阻害することはない。
【００４１】
その後は、第２の絶縁操作棒のハンドルをさらに回転させ、絶縁被覆１３に対する剥ぎ刃１６の食い込み力を増大させる。このように、把持機構１７を兼ねた形態ではあるものの、食い込み力補助手段を電線中間皮剥ぎ器１０に設けたので、剥ぎ刃１６の絶縁被覆１３への食い込み力が増大する。その結果、刃幅が６０ｍｍと従来に比べて大きい剥ぎ刃１６を使用しても、絶縁被覆１３の皮剥ぎに必要な食い込み力を確保することができる。よって、架空配電線１５の絶縁被覆１３に対する剥ぎ刃１６の食い込み不足が解消される。しかも、実施例１では食い込み力補助手段として、操作ボルト３７を有したねじ込み（ボルト締結）構造を採用したので、食い込み力補助手段の構造が簡単でかつ安定して絶縁被覆１３への剥ぎ刃１６の食い込み力の増大を図ることができる。
【００４２】
次に、剥ぎ刃１６の食い込み力を増大させたまま、第１の絶縁操作棒のハンドルを回し、操作入力軸３１をアーム閉方向へ回転させる。この回転力は、別の傘歯車２９から傘歯車２８、駆動側の小ギヤ２７、２個の従動側の小ギヤ２６、外ギヤ２５へと順次伝達される。よって、外筒体２４が本体プレート２２のＣ字切欠部２３内で、アーム閉方向へ徐々に回転して行く。これにより、カムフォロア４６がカム凹部４５ａから再びカム４５の通常部分（隆起部分）に乗り上げ、コイルばね５５のばね力に抗して、掛止フック５３が回動ピン５４を中心にして回動し、凹部３３ａから爪部５３ａが離反する。こうして、内筒体４７の回転規制状態が解除される。引き続き、閉じた両開閉アーム１１，１２を、Ｃ字切欠部２３の内縁部をガイドにして架空配電線１５の周りに１回転させる。
【００４３】
これにより、幅が狭い剥ぎ刃１６を使用していた従来のように、架空配電線１５の周りを何回転もさせなくても、剥ぎ刃１６を架空配電線１５の周りで１回転させるだけで、絶縁被覆１３の中間部を幅６０ｍｍにわたり皮剥ぎすることができる。その結果、皮剥ぎの作業時間が短縮し、皮剥ぎの作業性を高めることができる。
その後は、皮剥ぎで露出した心線１４の一部に、前記引き下げ線の心線の一端部を接続する。
皮剥ぎ終了後は、第１の絶縁操作棒のハンドルを逆回転させ、再び掛止フック５３の爪部５３ａを凹部３３ａに掛止して内筒体４７の回転を阻止する。その後、第２の絶縁操作棒のハンドルを逆回転させ、両開閉アーム１１，１２を開く。これにより、本体プレート２２のＣ字切欠部２３の開口部と、外筒体２４の開口部と、内筒体４７の開口部とが全て合致する。よって、電線中間皮剥ぎ器１０を架空配電線１５の中間部から外すことができる。
【００４４】
次に、図７〜図９を参照して、この発明の実施例２に係る電線中間皮剥ぎ器を説明する。
図７〜図９に示すように、実施例２に係る電線中間皮剥ぎ器１０Ａの特徴は、食い込み力補助手段として、第２の開閉アーム１２の回転を阻止可能なボールプランジャ（ブレーキ構造体）６０を有した点である。しかも、電線中間皮剥ぎ器１０Ａでは、両開閉アーム１１，１２の元部と、操作ボルト３７と、常開コイルばね４２とがそれぞれ削除されている。また、ここでの剥ぎ刃１６の刃幅は２０ｍｍで、電線挟み込み部側の面から突出する長さは２．０ｍｍであり、把持機構１７Ａは食い込み力補助手段を兼ねていない。
【００４５】
さらに、第１の開閉アーム１１の先部には、その表裏面を貫通し、かつ長さ方向を略アーム長さ方向へ向けて長孔３４ａが形成されている。長孔３４ａには、第１の円弧ブロック３２の一端部の表側から突出した摺動ボルト３９が、摺動自在に挿入されている。摺動ボルト３９の頭部の直径は、長孔３４ａの長さ方向の端部の直径より長い。これにより、第１の開閉アーム１１が第１の円弧ブロック３２に摺動自在に連結される。
そして、ここでは前記剥ぎ刃１６を、第１の開閉アーム１１ではなく、第２の開閉アーム１２に取り付けている。すなわち、第２の開閉アーム１２には、第２の開閉アーム１２の先部の両側面を貫通し、かつ別の電線挟み込み部３８に向かって徐々に開口面積が小さくなる矩形状の開口部３５ｂが形成されている。開口部３５ｂのうち、第２の開閉アーム１２の先側の辺部に、前記剥ぎ刃１６がねじ止めされる。
【００４６】
ボールプランジャ６０は、本体プレート２２に形成されたねじ孔２２ｂに螺合されている。ボールプランジャ６０は、第２の円弧ブロック３３を介して、第２の開閉アーム１２に設けられたケーシング５０に押し付けられることで、回転機構２１による第２の開閉アーム１２の回転を、絶縁被覆１３に対する剥ぎ刃１６の食い込み力が所定の大きさに達するまで阻止する。
【００４７】
以下、ボールプランジャ６０を詳細に説明する。
ボールプランジャ６０は、本体プレート２２の先端部に形成された大径なねじ孔２２ｂに螺合され、かつ先部が本体プレート２２の表側から突出した中空ねじ部６１を本体とする。中空ねじ部６１は、その先端部が徐々に先細り化している。中空ねじ部６１の内部空間には、中空ねじ部６１の内径より若干小径な鋼鉄製のボール６２と、このボール６２の一部のみを中空ねじ部６１の先端の開口部から外方へ付勢状態で突出させるコイルばね６３とがそれぞれ収納されている。
前記ケーシング５０の元部のうち、第２の円弧ブロック３３から外方に突出した一隅部の裏側には、前記外方へ突出したボール６２の一部が押し付けられて嵌まり込む半球凹部５０ａが形成されている。コイルばね６３のばね力により、ボール６２の一部が半球凹部５０ａに嵌合されると、内筒体４７はその開口部とＣ字切欠部２３の開口部とが合致する。このような両開口部の合致状態は、半球凹部５０ａからボール６２が外れるまで維持される。
【００４８】
次に、実施例２の電線中間皮剥ぎ器１０Ａを使用した架空配電線１５の絶縁被覆１３の皮剥ぎ作業を説明する。
作業者が第１の絶縁操作棒のハンドルをアーム開方向へ回転操作することで、掛止フック５３の爪部５３ａが凹部３３ａに掛止され、第２の開閉アーム１２が固定される。引き続き操作ボルト３７を同じ方向へ回転させると、摺動ボルト３９を介して第１の開閉アーム１１が開く。このとき、コイルばね６３のばね力により、ボール６２の一部が半球凹部５０ａに、所定の掛合力で掛合される。
【００４９】
この掛合力の大きさは、絶縁被覆１３に対する剥ぎ刃１６の食い込み力が所定の大きさに達するまで、回転機構２１による両開閉アーム１１，１２の回転を阻止可能な大きさである。
ボール６２の一部と半球凹部５０ａとの嵌合力の調整は、ねじ孔２２ｂに螺合された中空ねじ部６１を、若干量だけ正転（中空ねじ部６１を本体プレート２２の表側から突出させる回転）させたり、中空ねじ部６１を若干量だけ逆転（中空ねじ部６１を本体プレート２２の裏側へ引き込ませる回転）させることで対応する。
【００５０】
次に、第１の絶縁操作棒のハンドルをアーム閉方向へ回転操作し、摺動ボルト３９を介して第１の開閉アーム１１を閉じ、両開閉アーム１１，１２により架空配電線１５を挟持することで、剥ぎ刃１６が絶縁被覆１３に食い込む。このとき、両開閉アーム１１，１２の回転は、絶縁被覆１３への剥ぎ刃１６の食い込み力が所定の大きさに達するまで阻止（抑制／規制）される。その結果、従来通りの回転操作を行うだけで、電線１５への剥ぎ刃１６の食い込み力を自動的に増大させることができる。
所定の食い込み力に到達後は、コイルばね６３のばね力に抗してボール６２が円筒ケーシング６１内に押し込められ、ボールプランジャ６０による両開閉アーム１１，１２の回転阻止状態が解除される。
その他の構成、作用および効果は、実施例１と略同じであるので説明を省略する。
【図面の簡単な説明】
【００５１】
【図１】この発明の実施例１に係る電線中間皮剥ぎ器のアーム開状態での正面図である。
【図２】この発明の実施例１に係る電線中間皮剥ぎ器のアーム開状態での右側面図である。
【図３】この発明の実施例１に係る電線中間皮剥ぎ器のアーム開状態での背面図である。
【図４】この発明の実施例１に係る電線中間皮剥ぎ器のアーム開状態での一部平面図である。
【図５】この発明の実施例１に係る電線中間皮剥ぎ器のアーム開状態での縦断面図である。
【図６】この発明の実施例１に係る電線中間皮剥ぎ器のアーム閉状態での要部正面図である。
【図７】この発明の実施例２に係る電線中間皮剥ぎ器のアーム開状態での正面図である。
【図８】この発明の実施例２に係る電線中間皮剥ぎ器のアーム開状態での左側面図である。
【図９】この発明の実施例２に係る電線中間皮剥ぎ器のアーム閉状態での要部正面図である。
【符号の説明】
【００５２】
１０，１０Ａ  電線中間皮剥ぎ器、
１１  第１の開閉アーム（一方の開閉アーム）、
１２  第２の開閉アーム（他方の開閉アーム）、
１３  絶縁被覆、
１５  架空配電線、
１６  剥ぎ刃、
１７  把持機構（食い込み力補助手段）、
１７Ａ  把持機構、
１８  回動軸、
２１  回転機構、
３７  操作ボルト（アーム締め付けボルト）、
６０  ボールプランジャ（食い込み力補助手段／ブレーキ構造体）。
【図１】
2008131844.tif 000003
【図２】
2008131844.tif 000004
【図３】
2008131844.tif 000005
【図４】
2008131844.tif 000006
【図５】
2008131844.tif 000007
【図６】
2008131844.tif 000008
【図７】
2008131844.tif 000009
【図８】
2008131844.tif 000010
【図９】
2008131844.tif 000011